(57)【特許請求の範囲】
【請求項１】
二台の家具を家屋の部材に連結固着する家具転倒防止装具であって、
該家具の転倒防止装具が、ポット本体部から構成され、家屋内に装着されるアンカーポットと、ポット本体部から構成され家具に装着されるコネクターポット、及び、コネクターピースから成り、ポット本体部は、中空のピット部と、ポット本体部を所定の部位に固定するためのプレート部を有し、
コネクターピースは、連接固着された三枚のブレードからなることを特徴とする家具転倒防止装具。
【請求項２】
コネクターピースは、三枚のブレードが、直列に連接固着された、請求項１記載の特徴を保有する家具転倒防止装具。
【請求項３】
コネクターピースは、三枚のブレードが、並列に連結固着された、請求項１記載の特徴を保有する家具転倒防止装具。
【発明の詳細な説明】
【技術分野】
【０００１】
この発明は、家具が配備された現況に、最も良く適合する固定端末装具を選択し、固定端末装具と、装着工法を組み合わせる事により、複数の家具、高さが異なり頂部に段差のある家具、複数段に積層されている家具を、単一の装具で、アンカー部へ同時に直接固定する事ができ、且つ、固定解除がワンタッチで可能となる家具転倒防止装具の提供に関するものである。
【背景技術】
【０００２】
従来の家具固定方式には、大別して
ア  家屋の天井と家具調部との空間にパッキンとなる部材を設置する。
イ  家屋の壁面又は柱と家具を、Ｌ型その他形状の金具で直接固定する。
ウ  家屋の壁面にアンカー装具を装着し、ワイヤーその他の連結装具で家具頂部と連結し固定する。ア〜ウの各方式があり、それぞれにそれなりの問題点がある。
【先行技術文献】
【特許文献】
【０００３】
【特許文献１】特開２００６−１５８８０９号公報
【特許文献２】特開２００６―１２２１００号公報
【特許文献３】特開２００１−１９０３４９号公報
【特許文献４】特開２００７−６８８７２号公報
【特許文献５】特開平９−３７１号公報
【特許文献６】特開平１０−３２３２５０号公報
【特許文献７】登録実用新案登録第３０６３２８６号公報
【特許文献８】特許第５３８５３３２号公報
【発明の概要】
【発明が解決しようとする課題】
【０００４】
従来の技術・方式による場合それぞれに次のような問題点がある。
１  背景技術ア項による方式では、何らかの外力で、設置されたパッキンが外れた場合はその効果は無効となり、且つ、アンカーとなる天井部は、その部分が補強されていなければ、一般的に期待されるほどの転倒防止対応力は保有しない。
２  背景技術イ項による方式では、アンカーとなる家屋壁見付面と、固定される家具面とは通常密着しており、家具頂部への装具の直接固着を確実に施工するには、それなりの技能レベルが必要となる。
３  背景技術ウ項の方式では、アンカー装具の装着部位は通常形態として、家具頂部よりも高い部位の壁見付面であり、装具自体にかなりの重量がある場合が多く、必然的に、危険を伴う脚立作業を要する事となり、アンカー装具の装着は専門技能職でなければ施工が難しい場合や、相応の経費を必要とするなど、通常の能力を保有する人が、自力で気軽に装着が出来るような、簡便な固定装具ではない場合が多い
４  アンカー装具を装着しようとする部位が小舞下地の土壁である場合や、畳床面のみがアンカー装具が設置可能な部位である場合は、その箇所はアンカー装具を装着する部位としては不適合箇所となるため、真壁仕様の壁面・畳床面には固定端末装具を装着することができない。
５  従来方式による固定端末装具では複数の家具、家具頂部の高さが異なる家具、複数段に積層された家具、Ｌ型状に設置された家具を、単一の固定端末装具で同時にアンカー部材に直結固定する事はできない。
【課題を解決するための手段】
【０００５】
問題を解決するための手段について、主たる用語の定義と、各装具が保有する機能を図面を併用して記述する。
１  主たる用語の定義
（１）アンカーポット
柱・壁・その他、アンカー機能を保有する家屋内の部材に装着される、各型式の
固定端末装具を指す。
（２）コネクターポット
転倒防止を要する家具の、任意部位（頂部・背面・側面・脚部）に装着される各型式の固定端末装具を指す。
（３）  コネクターピース
前記のアンカーポットと、コネクターポットのピット部にに挿入され、家屋内のアンカー部と，家具を連結固着する、各型式の連結固着装具を指す。
（４）  ポット本体部
中空の小型平角パイプ材を、事務用消しゴム程度の大きさにカットし、カットされた前記小型平角材のピット状を呈する面を本体小口面、ピット長辺側の面を本体平面、ピット短辺側の面を本体側面と区分した、六面体の小片が、アンカー部に装着される場合はアンカーポットの本体部となり、家具部に装着される場合はコネクターポットの本体部となる。
（５）  ポットプレート部
前記コネクターピースを、前記ポット本体のピット部に挿入し、家屋のアンカー部と家具を連結固定する転倒防止装具の構成から、ポットのピット部を所定方向に固定する必要があり、短冊形、又は、曲板状に加工された部材をポット本体部の所定部位に接合し、一体化されポット本体部を所定部位に固定させるための補助部材を指す。
（６）  ポット本体ピット部
固定端末装具のアンカー・コネクター両ポットを連結固着する、前記連結装具のポット小口面中空部分で、前記コネクターピースが挿入される部位を指す
（７）  ブレード
前記コネクターピースの、ピツト部へ挿入される板状を呈する部材で、櫛の歯状・直板状・直板棒状の所定形状に加工された部分を指す。
（８）  ＭＵ連結方式
前記アンカー・コネクター両ポットの本体部が、ポットを装着する家具面に対し、直角、且つ、ポット本体側面部が、アンカー部材面に対し、平行に並列三連で装着されたポットに、挿入される三枚のブレードを、ピット部の配列に合致させ櫛の歯状に配備し、その頂部をＵ形状キャップで固着一体化された、ＭＵ型と呼称するコネクターピースを、前記アンカー・コネクター両ポットのピット部に挿入する事により、二台の家具を直結固定することが可能となる図３５・図３６・図４１・図４２・図４４・図４６・図４７・図５４〜図５６に記述した連結固着方式を指す。
（９）  ＭＦ連結方式
前記ＭＵ型コネクターピースの、ブレードを固着するＵ型形状キャップフインの
一方をカットしたＦ型キャップにより、櫛の歯状に配備された三枚のブレード頂部が固着されたコネクターピースで、ＭＵ型連結方式では連結固着できない部位に並列三連装着された前記アンカー・コネクターの両ポットへ、ＭＦ型と呼称するコネクターピースを挿入し家具頂部の高さが異なる二台の家具を、直結固定する事ができる図５０・図５１に記述した連結固着方式を指す。
（１０） ＭＳＰ連結方式
前記アンカー・コネクター両ポットの本体部が、家具面に対して直角、且つ、前記両ポットの平面部が、アンカー部材面に対し平行に三連直列で装着されたポットへ、挿入する三枚のブレード頂部を、直板状に固着したＭＳＰ型と呼称するコネクターピースを，前記ポットのピット部へ挿入し、アンカー部と二台の家具を直結固定する事が出来る図３１〜図３４・図３９・図４５・図４８・図４９・図５７に記述の連結固着方式を指す。
（１１） ＪＳＰ連結方式
前記アンカー・コネクター両ポットの小口面を三連直管状に連結し、直管状のポットの平面部を家具面に密着させ、且つ、家屋アンカー部材面に対し、ポットの側面部が平行直列になるように装着された三連直管ポットへ，細長直板棒状のＪＳＰと呼称するコネクターピースを、挿入する事により二台の家具が直結固定できる図３７・図３８図・４０・図５２・図５３に記述の連結固着方式を指す。（直管状ポットが構成されれば、家具面に密着させる面は、ポット側面小端立方式としても得られる効果は同一であり作図省略）
（１２） フィン
ＭＵ型・ＭＦ型・ＭＳＰ型・ＪＳＰ型の、各コネクターピースブレード頂部を連結するキャップの脱落を防止するために設けられた折返し部分を指す。
２  各装具が保有する機能
（１）取扱いの簡便さ        
この発明による家具固定方式は、錐とドライバーが扱える程度の能力を有する者ならば、特別な技能は不要な装具で、小型中空平型パイプが事務用消しゴム程度の大きさにカットされ、任意の部位に装着する事が可能となるように加工された、アンカー部材に装着するアンカーポット・家具に装着するコネクターポット・、前記両ポットへ挿入し、両ポットが連結できるように加工されたコネクターピースのうちアンカー・コネクターの両ポットを、家具頂部から床面までの任意の部位に装着する事ができ、装着する装具が小型であること。装具の構造が単純であることから装具の取扱いが簡便である。
（２）装具の互換融通性
装着箇所が特定されている装具を除き、前記ポットが同一規格のものであってもアンカー部へ装着すればアンカーポット・家具部へ装着すればコネクターポットと呼称される事となり、アンカー部、家具部のいずれにでも装着できる装具の互換融通性がある。
（３）アンカーポットが保有する機能
家屋の壁（真壁を除く）、柱（見付け面・チリ面）屋内横架材（寄席鴨居・腰長押）の家具頂部から床面までの、全ての部位に装着が可能な型式のポットが、選択できるため固定端末装具の装着不能箇所が全て解消され、任意の部位に任意に選択されたポットを、アンカーポットとして装着する事が可能となる。
（４）  コネクターポットが保有する機能
家具配置状況に最もよく適合するアンカーポットの型式と、コネクターピース型式のなかから、現況に適合する連結方式の組合わせを選択する事ができるため、選択されたアンカーポットに適合する部位であれば、家具の任意の部位（頂部・側面・背面・脚部）に、ポット装着をする事が可能であり、家具化粧面を疵付けることなくポットを装着する事ができるため、固定端末装具の装着不能箇所は全て解消される。
（５）  コネクターピースが保有する機能
前記のアンカー・コネクター両ポットのそれぞれに、適合するコネクターピースの型式（図２７のＭＵ・図２８のＭＦ・図２９のＭＳＰ・図３０のＪＳＰ）を任意に選択する事ができ、家屋のアンカー部位、家具の配置状況（頂部が整一で直列、又は、Ｌ形配置、家具の高さが異なり頂部に段差がある家具、積層された家具）にかかわらず、家具頂部から床面まで任意の部位に、前記のアンカー・コネクター両ポットが装着出来るため、前記の両ポットヘ、コネクターピースを挿入し、家具を直結固着する事ができ、前記の両ポットからコネクターピースを引抜く事により固定が解除され、家具の固定と固定解除がコネクターピースの着脱で実現できるなワンタッチ操作可能機能を保有している。
３  問題を解決する手段
有効な家具固定を成立させる要件は、
（１）転倒の防止ができるアンカーとなる部材が存在する事
（２）アンカー部材に家具が確実に固着できる事
（３）家具をアンカーに固着するための装具と、その装着工法が確立されている事
が必要最小限の要件となり（１）〜（３）の要件のいずれか一つでも欠ければ成立しなくなる。前記第２項で記述した、各型式のアンカーポット・コネクターポットが保有する機能は、この項の（２）・（３）の要件を充たしており、同様に各型式のコネクターピースも、この項の（２）・（３）の要件を充たしていることから、従来方式による装具や装着方法では成立が不可能で、装具装着不能箇所が生ずる問題点を解決することができる。
【発明の効果】
【０００６】
この発明で得られる効果について図面を併用して記述する、
（１）装具の型式と組合せが任意に選択できる効果
家具固定を成立させる要件を具備した三つの主要装具（アンカーポット・コネクターポット・コネクターピース）を、家具設置の現況（頂部が整一な家具二台を直列に・頂部が整一な家具二台をＬ型に・頂部が不整一で段差のある家具二台を直列に・複数段に積層された家具）とアンカー部の現況（壁見付面・柱見付面・柱チリ面・寄席鴨居チリ面の上下）に最も良く適合する三装具（アンカーポット・コネクターポット・コネクターピース）の型式とその組合せを任意に選択する事により、装着部位も確定する事が出来る。
（２）装具の装着施工が容易である効果
装具本体が事務用消しゴム程度の大きさで単純な構造であり、装具の装着部位を任意に確定できる装具として加工されており、アンカー部と家具部のそれぞれに、ポットを別個に装着できる仕組みで、ポットの固定に特殊な工具が不要なビス止めであり、装着部位を任意に確定できることから、危険を伴う脚立作業が不要となる箇所を選定する事ができるため、前記のアンカー・コネクター両ポットの装着施工が容易である。
（３）ワンタッチで家具の固定と固定解除が出来る効果
前記アンカー・コネクター両ポツトの装備方式（並列三連・直列三連・直列直管）に適合するコネクターピース（図２７ＭＵ・図２８ＭＦ・図２９ＭＳＰ・図３０ＪＳＰと呼称）を選択し、それぞれの装備方式によるポットへ前記コネクターピースを挿入すれば、家具はアンカー部に直結固着され、コネクターピースをポットから引抜けば固定がワンタッチで解除される
（４）既存型式装具活用範囲の拡大と創意添加への期待ができる効果
この発明により、前記アンカーポットの装着可能部位は、家具頂面から床面までの壁見付面・柱見付面とチリ面・寄席鴨居のチリ面上端と下端、となる事から固定端末装具装着不能箇所は全て解消され前記ポットの組合せで既存型式ポットの活用範囲の拡大も期待されるほか，装着施工者の創意が加えられることにより、従前の装具、装着施工法と異なる効果が得られる新たな技術の創造が期待できる。
【図面の簡単な説明】
【０００７】
図面の説明に使用する用語は、前記問題を解決するための手段０００５第１項に記述した主たる用語の定義によるものとし、ポット本体部を構成する部位の区分は、ピット長辺側の面をを平面、ピットの短辺側の面を側面、ピットがある面を小口、コネクターピースが挿入される部分をピット部、ポット本体を所定部位に装着するため本体の外側面に接合され、ポット本体部と一体化された部材をポット本体プレート部、の用語で区分表示する。なお、装着部位が特定されるポットを除き、同一型式のポットであっても、アンカー部へ装着した場合はアンカーポットと呼称し、家具部に装着されればコネクターポットと呼称する。
【図１】短冊形プレート平面の端末部に、ピット部の向きがプレート平面に対し直交する形状に、ポット本体外側面が、前記プレート端末小口部に接合されたＩＴ型と呼称する平型ポツトのイメージ斜視図、。
【図２】短冊形プレートの平面部と、ポット本体ピット部がＬ型を形成するよう、ポット平面端末部が、プレート平面端末部に接合された、ＬＴ型と呼称するＬ型ポットのイメージ斜視図。
【図３】短冊形プレート平面端末部に、ポット本体小口端末部が、直板状になるよう接合されたＩＩ型と呼称する平型ストレートポットのイメージ斜視図。
【図４】短冊形プレート平面に対し、ピットの向きが直交し、且つ、プレート平面に対しポット平面部がＬ形を形成するように、ポット本体側面部が、プレート端末部に接合されたＬＸ型と呼称するＬ型ポットのイメージ斜視図。
【図５】短冊形プレートを固定する固定孔がある部位を右側、ポット本体部が接合される端末部を左側と区分し、プレートの長辺側左端末にポット側面部が接合された、ＬＸＬ型と呼称する旗形ポットのイメージ斜視図。
【図６】短冊形プレートを固定する固定孔がある部位を左側、ポット本体部が接合される端末部を右側と区分し、プレートの長辺側右端末にポット側面部が接合された、ＬＸＲ型と呼称する旗形ポットのイメージ斜視図
【図７】短冊形プレートを固定する固定孔がある部位を右側、ポット本体部が接合される端末部を左側と区分し、プレート平面長辺側左端末に、ポット本体小口部が接合された、ＬＵＬ型と呼称する矩折旗形ポットのイメージ斜視図
【図８】短冊形プレートを固定する固定孔がある部位を左側、ポット本体部が接合される端末部を右側と区分し、プレート平面長辺側右端末に、ポット本体小口部が接合された、ＬＵＲと呼称する矩折旗形ポットのイメージ斜視図
【図９】ポット本体平面部と、短冊形プレート平面部がＬ形を形成し、ポット本体側面部が、プレート平面中央端末部にポット本体小口部が整一となるよう接合された、ＰＩＳ型と呼称する旗型ポットのイメージ斜視図。
【図１０】ポット側面の中央部に、短冊形プレートの側面端末部が、ポット小口面と整一になるように接合され、プレートを柱チリ面へ装着する際左右勝手対応がフリーとなる、ＳＰＩ型と呼称する旗型ポットのイメージ斜視図
【図１１】ポツト本体側面の片側に、短冊形プレートの端末部がポットの小口面と整一となるように短冊形プレート側面が接合され、プレート平面から見てポットが左側にある、ＩＰＬ型と呼称する旗型ポツトのイメージ斜視図
【図１２】ポット本体側面の片側に、短冊形プレートの端末部がポットの小口面と整一となるように短冊形プレート側面が接合され、プレート平面から見てポットが右即にある、ＩＰＲ型と呼称される旗型ポットのイメージ斜視図
【図１３】短冊形プレート平面部とポットの平面部が直交し、短冊形プレート側面端末部が、ポットの小口面と整一となるようにポット平面部の側端に接合され、ポット本体部がプレート平面から見て左側に接合されているＰＸＬ型と呼称する左勝手矩折旗型ポットのイメージ斜視図
【図１４】短冊形プレート平面部とポットの平面部が直交し、短冊形プレート側面端末部が、ポットの小口面と整一となるようにポット平面部の側端に接合され、ポット本体部がプレート平面から見て右側に、接合されているＰＸＲ型と呼称する右勝手矩折形旗型ポットのイメージ斜視図
【図１５】短冊形プレートの側面部がポット本体平面中央部で直交し、プレート端末部とポット小口部が整一となるようにプレート側面を接合し、柱チリ面への装着時に左右勝手フリーとなるＳＰＸ型と呼称する矩折旗型ポットのイメージ斜視図
【図１６】短冊形プレートの側面端末部が、ポット側面中央部で直交、プレート端末部とポット平面が整一となるように接合し、柱チリ面装着時に、左右勝手フリーとなるＳＰＬ型と呼称する平撞木型ポットのイメージ斜視図
【図１７】短冊形プレートの側面端末部と、ポット側面端末部が直交、プレート端末部がポット平面と整一となるようプレート側面が接合され、プレート平面から見てポットが左の、ＰＳＬ型と呼称する左勝手の変形矩折旗型ポットのイメージ斜視図
【図１８】短冊型プレートの側面端末部と、ポット側面端末部が直交、プレート端末部がポット平面と整一となるようプレート側面が接合され、プレート平面から見てポットが右の、ＰＳＲ型と呼称する右勝手変形矩折旗型ポットのイメージ斜視図
【図１９】ポットの小口長辺部に、ピット部を垂直に保持するＺ形プレート端末長辺部が接合された屋内横架材（寄席鴨居）チリ面装着用ポットで、チリ面部の上下任意部位に装着する事が可能なＺＡＩ型と呼称するアンカーポットのイメージ斜視図
【図２０】ポットのピット部が水平に保持されるようＬ型プレートの端末部を、ポットの側面に接合した、屋内横架材（寄席鴨居等）のチリ面装着用ポットで、チリ面部の上・下任意の部位に装着する事が可能なＺＡＬ型と呼称するアンカーポットのイメージ斜視図
【図２１】ポット本体部が垂直にプレートと直交して保持されるようにＺ形のプレートがポット小口部側面に接合された屋内横架材（寄席鴨居等）チリ面装着用ポットで、チリ面の上・下、任意の部位に装着が可能な、ＺＳＩ型と呼称されるアンカーポットのイメージ斜視図
【図２２】ポットのピット部が,小端立、且つ、水平に保持されるようにＺ形のプレートがポット平面部の側端に接合された屋内横架材（寄席鴨居等）チリ面装着用ポットで、チリ面の上・下の任意の部位に装着が可能な、ＺＡＳ型と呼称するアンカーポットのイメージ斜視図
【図２３】ポット側面部の下端に、ポットを垂直に保持するＬ形のプレートが接合された、真壁の屋内横架材下端装着用ポットで、柱に向かって右チリ面部に装着されるＵＺＲ型と呼称するアンカーポットのイメージ斜視図
【図２４】ポット側面部の下端に、ポットを垂直に保持するＬ形のプレートが接合された、真壁の屋内横架材下端装着用ポットで、柱に向かって左チリ面部に装着されるＵＺＬ型と呼称するアンカーポットのイメージ斜視図
【図２５】ポットの側面端に、ポット平面部を水平、且つ、小口部がプレート小口部と整一となるように保持するＬ形のプレートが接合された、真壁横架材下端装着用ポットで、柱チリ面の左右双方に、適合する、ＵＡＺ型と呼称するアンカーポットのイメージ斜視図
【図２６】ポット平面部の一端に、プレート平面に対しピット小口部を、垂直に保持するＬ形のプレートが接合された、真壁横架材下端装着用ポットで、ＵＺＰ型と呼称するアンカーポットのイメージ斜視図
【図２７】ピット部の配置に適合する櫛の歯状に配備された板状ブレードの頂部を、Ｕ形キャップで連結固着し、３個並列のピット部にブレードが挿入出来るＭＵ型と呼称するコネクターピースのイメージ斜視図
【図２８】前記ＭＵ型コネクターピースのキャップフインが、ピット挿入時に支障となる場合、フインの一方をカット、櫛の歯状に配備された板状ブレード頂部が、Ｆ形キャップで連結固着されたＭＦ型と呼称するコネクターピースのイメージ斜視図
【図２９】直列三連に装着されたポットへ挿入される３枚のブレード頂部を、連結固着し、一枚のプレートに加工された、ＭＳＰ型と呼称するコネクターピースのイメージ斜視図
【図３０】ポットの小口部が直列管状に連結された三連ポットの規格に、適合する脚長を保有するストレート板状のＪＳＰ型と呼称するコネクターピースのイメージ斜視図
【図３１】直列に配置された２台の家具頂部へ、アンカー・コネクター両ポットのピット部を上方に、ＰＸＬ型、又は、ＰＸＲ型アンカーポットを柱チリ面に装着し、ＬＵＬ型とＬＵＲ型のコネクターポットを、ＰＸＬ型ポットを中央に挟んで直列３連に装着されたピット部へ、ＭＳＰ型コネクターピースを挿入して直結固定する、ＭＳＰ直結固定方式による固着イメージ斜視図（直列構成させるためのポット型式選択は任意）
【図３２】前記図３１イメージ図の一部詳細図
【図３３】直列に配置された２台の家具頂部へ、アンカー・コネクター両ポットのピット部を上方に、柱チリ面部にＳＰＸ型アンカーポットを装着し、ＬＵＬ型・ＬＴ型・と型式の異なるコネクターポットを、ＳＰＸ型ポットを中央に直列３連に装着したピット部へ、ＭＳＰ型コネクタ−ピースを挿入し、直結固定をする方式のイメージ斜視図（直列構成させるためのポット型式選択は任意）
【図３４】前記図３３イメージ図の一部詳細図（・図３２に例示の装着方式と異なる点は、選択されたコネクターポット・アンカーポットの型式と、コネクターポットの装着部位）
【図３５】直列に配置された２台の家具頂部に、ポット小口部を上方にＩＰＬ型のアンカーポットを柱チリ面部に装着、ＩＰＬ型ポットを中央に挟みＬＴ型コネクターポットを並列に装着した場合のイメージ斜視図（並列構成させるためのポット型式選択は任意）
【図３６】ＭＵ型コネクターピースで並列ポットを連結固定する方式、図３５の一部詳細イメージ図
【図３７】直列に配置された２台の家具頂部に、柱チリ面に装着されたＳＰＬ型アンカーポットを中央に、コネクターポットの小口部を三連直列で装着し、ＪＳＰ型コネクターピースで直結する方式のイメージ斜視図
【図３８】ＳＰＬ型アンカーポットを柱チリ面に装着し、同ポットの両小口部にＩＩ型のコネクターポットを密着させ家具頂部に三連直管状ポットを装着した、図３７の一部詳細イメージ図（三連直管状ポットを構成させるポット型式選択は任意）
【図３９】直列に配置された２台の家具頂部に、ＩＩ型アンカーポットを柱見付面に装着し、ポット小口部を上方にアンカーポットの両側面に、ＬＵＬ・ＬＵＲ型ポットの側面を密着させた三連直列ポットを、ＭＳＰ型コネクターピースで直結固定する方式のイメージ斜視図（壁見付面装着方式は、同一方式のため作図省略、直列ポットを構成させるためのポット型式選択は任意）
【図４０】直列に配置された二台の家具頂部に、ＬＸ型アンカーポットを柱見付面に装着し、その両小口部にＩＩ型ポットの小口部を密着させ、平面三連直列に装着されたポットへ、ＪＳＰ型コネクターピースを挿入し、直結固定する方式のイメージ斜視図（ポットを小端立て三連直列に装着し，ＪＳＰ型コネクターピースで直結固定する方式は、同一方式のため作図省略、直管状ポットを構成させるためのポット型式選択は任意）
【図４１】直列に配置された二台の家具頂部に、ＰＩＳ型アンカーポットを柱見付面へ装着し，ＬＴ型コネクターポットの平面部を前記アンカーポット平面部の両面に密着させ、並列三連ポットを構成し、ＭＵ型コネクターピースで直結固着する方式で、アンカーポットの装着部位が柱見付面である場合のイメージ斜視図（壁見付面装着方式は、同一方式のため作図省略、並列ポットを構成させるポットの型式選択は任意）
【図４２】図４１の一部詳細図
【図４３】左図は、寄席鴨居上端に長押有りの場合で、アンカーポットは寄席鴨居チリ面下端に、右図は寄席鴨居上端に長押無しの場合で、寄席鴨居上端にアンカーポットを装着する方式の断面イメージ図（寄席鴨居下端装着でも可）
【図４４】寄席鴨居の下端チリ面に、ＵＺＲ型アンカーポットを装着、コネクターポットの平面を前記アンカーポットの平面に並列に密着させて装着した場合のイメージ斜視図（アンカーポツト以外のポット型式選択は、任意）
【図４５】寄席鴨居のチリ面上端に、ＺＡＩ型アンカーポットを装着、コネクターポットの側面をアンカーポット側面に密着させ、ポットを三個直列に装着した場合の、一部詳細イメージ斜視図（アンカーポット以外のポット型式選択は任意）
【図４６】家具頂部に段差がある場合で、アンカーポットにＰＸＬ型ポットを装着、高い家具側にＰＩＳ型コネクターポットを、低い家具側ＬＴ型のコネクターポットを装着し、並列三連ポットを構成、ＭＵ型コネクターピースにより固着する方式のイメージ斜視図（三連ポットを構成させるポットの型式選択は任意）
【図４７】家具頂部に段差がある場合で、柱チリ面にＰＸＬ型のアンカーポットを装着、アンカーポットの平面部に密着させてコネクターポットを並列に装備した、図４６の一部詳細イメージ図
【図４８】家具頂部に高低の段差がある場合に、低い側の家具頂部へ三連直列ポットを装着し、ＭＳＰ型コネクターピース挿入による段差家具固着方式のイメージ斜視図（直列三連ポットを構成させるポット型式選択は任意）
【図４９】家具頂憮に高低の段差がある場合、柱チリ面にＩＰＬ型アンカーポットを装着、アンカーポットの側面に密着させて高い家具側にＩＩ型コネクターポットを、低い家具即にＬＴ型コネクターポットを三連直列に装着し，ＭＳＰ型コネクターピースで直結固着する方式の、図４８一部詳細イメージ図
【図５０】家具頂部に高低の段差がある場合、柱チリ面にＰＳＬ型アンカーポットを装着し、高い家具の背面にＬＸＬ、又は、ＬＸＲ型コネクターポットを、低い家具の頂部にはＩＩ型コネクターポットを装着し、ＭＦ型コネクターピースによる積層三連並列ポットで段差の有る家具を固着する方式のイメージ図
【図５１】家具頂部に高低の段差がある場合、柱チリ面にＰＳＬ型アンカーポットを装着、高い家具側にはＬＸＬ、又は，ＬＸＲ型のコネクターポットを、低い家具側にはＩＩ型のコネクターポットで構成された積層並列三連ポットに、ＭＦ型コネクターピースを挿入し、直結固着する方式の図５０一部詳細イメージ図
【図５２】家具頂部に高低の段差がある場合に、柱チリ面にＰＳＲ型アンカーポットを、、高い家具側面にＬＸ型コネクターポットを、低い家具の頂部にＩＩ型コネクターポットを、相互の小口ｂ部を密着させ直管状三連ポットを構成し、ＪＳＰ型コネクターピースを挿入、段差の有る家具を固着する方式のイメージ斜視図
【図５３】頂部に段差の有る家具を、ＪＰＳ型コネクターピースで固着する方式、図５２の一部詳細イメージ図（三連直管ポットを構成させるポット型式選択は任意）
【図５４】複数段に積層された家具の積層部の柱チリ面にＰＳＬ型アンカーポットを装着し、アンカーポットの平面部、に、ＰＸＬ型のコネクターポットの平面部を密着させ積層並列ポットを構成し、ＭＵ型コネクターピースで積層部を連結固着すると同時に家具頂部のアンカー部にＬＸ型アンカーポットを、家具頂部にＩＴ型コネクターポットをそれぞれ装着し、ＵＰ型コネクターピースの挿入で直結固着する方式のイメージ図（家具積層部・頂部のポットを構成させるポット型式選択は任意）
【図５５】複数段に積層された家具連結時の、ＰＳＬ型アンカーポットとＰＸＬ型コネクターポットによる並列積層ポットとＭＵ型コネクターピースによる積層部固着方式図５４の一部詳細イメージ図
【図５６】頂部高が整一な二台の家具が、Ｌ型に設置されている場合に、アンカーポットに，ＰＩＳ型のアンカーポットを柱見付面に装着し,左側の家具にＬＴ型コネクターポットを、右側の家具にＬＵＬ型コネクターポットを装着し，ＭＵ型コネクターピースの挿入によりＬ形に配置された二台の家具を直結固着する方式のイメージ斜視図
【図５７】頂部高が整一な二台の家具がＬ型に設置されている場合に、柱見付面にＩＩ型アンカーポツトを装着し、左側家具にＬＵＲ型のコネクターポット、右側家具にＬＴ型のコネクターポットを装着し，ＭＳＰ型のコネクターピースでＬ型に設置された二台の家具を直結固定する方式のイメージ斜視図。
【発明を実施するための最良の形態】
【０００８】
この発明の最良の形態について図面を併用して記述する。
１  設置される家具の現況確認
（１）  家具の頂部高さは整一であるか
（２）  設置される家具は単個であるか、複数個であるか
（３）  設置される家具が複数の場合、直列設置であるか，Ｌ型設置であるか
（４）  積層される家具は、見付、見込、ともに規格寸法が同一であるか否か。
（５）  ポットを装着するアンカー部は、アンカーとしての対応機能を保有しているか。
２  設置される家具の現況に最も良く適合する装具の選択
（１）  図１〜図２４のポット型式の中から、家屋のアンカー部に最も良く適合し、且つ、コネクターピースにも適合するアンカーポットを選択する。
（２）  図１〜図２４のポット型式の中から、アンカーポット・コネクターピースの双方に適合するコネクターポットを選択する。
（３）  図２７ＭＵ型・図２８ＦＭ型・図２９ＭＳＰ型・図３０ＪＳＰ型の各型式コネク  ターピース中から、アンカー部に装着されるポットと、家具部に装着されるポットに最も良く適合する型式のコネクターピースを選択する。
（４） 選択されたアンカー・コネクターの両ポットを、最も効果的に機能が発揮出来るように組み合わせ、所定の部位に装着する。
３  装具の機能確認と所定部位への装着  
アンカー・コネクターの両ポットと、コネクターピースで構成される、主要三装具による固着機能が発揮できる固定端末装具の組み合せである事を確認し、所定部位へ固定端末装具を装着する。
【実施例】
【０００９】
この発明の実施例を図面を併用して記述する。
（１）各例に共通する条件
家具頂部の高さが整一で、且つ、コネクターポットの装着にも支障が無く、柱のチリ面、寄席鴨居のチリ面にアンカーポットを装着する事ができ、設置された二台の家具が隣接している場合（積層方式の家具を含む）の直結固着方式である事とする。
家具の高さに高低の段差がある場合も、家具頂部の高さが整一である事の部分を除き、他の条件は同一である事とする。  
（２）装具装着の基本方式例
ア  小型中空パイプを事務用消しゴム程度の大きさにカットし、所定部位に装着出来るように固着部材が接合された固定端末装具（アンカーポット・コネクターポットと呼称）本体の平面を家具面（頂部面、側面を問わない）に密着させ図３７・図３８に記述した、平型直列直管固定方式、図での記述を省略した前記ポット側面を家具面に密着、直列直管ポットを構成する小端立て直列直管固定方式の、二方式（平直列直管管・小端立直列直管）ともＪＳＰ型コネクターピースの挿入により直結固定する。
。イ  アンカー・コネクター両ポット小口面ピット部の一方を家具面（頂部面、側面を問わない）に密着させ、図３１〜図３４に記述した、竪型直列ポット固着方式、図での記述を省略したポット平面部を家具面（頂部面、側面を問わない）に密着させピット部が、家具面と平行になる平型直列ポット固着方式、の二方式ともＭＳＰ型コネクターピースの挿入により直結固定ができる直列ポット固定方式。
ウ  アンカー・コネクター両ポットの平面部を相互に密着、両ポットピット部の一方の面を家具面（頂面部、側面部を問わない）に密着させ、並列三連ポットが構成された（三連並列が構成できるポットであればポット型式の組合せとポット装着時の向きはフリー）並列三連ポットにＭＵ型コネクターピースを挿入し、直結固着する並列ポット固定方式。
エ  ＭＵ型コネクターピースでは固着できない部位に装着された場合のみ、ＭＵ型に替わりＭＦ方コネクターピースを挿入し直結固着する並列ポット固定方式
（３）実施例
ア  図３１・図３２は、柱チリ面部へ、図１４・符合ＰＸＲのアンカーポットを装着し、向かって左側の家具頂部に、図８・符号ＬＵＲのコネクターポットを、向かって右側の家具頂部に図７・符号ＬＵＬのコネクターポットを、左右両ポットのピット部を上面に向け、ポットの平面部を家屋のアンカー面に平行させて連結し、直列三連のポットへ、図２９・符号ＭＳＰのコネクターピースを挿入、直結固着するＭＳＰ固着方式（１）の例である。
イ  図３３・図３４は柱、チリ面にに図１５・符号ＳＰＸのアンカーポットを装着し，向かってて左側の家具頂部には、図８・符号ＬＵＲのコネクターポットを、向かって右側の家具頂部には、図２・符号ＬＴのコネクターポットを、左右両ポットのピット部を上面に向け、、ポットの平面部を家屋のアンカー面に平行させて連結し、直列三連のポットへ、図２９・符号ＭＳＰのコネクターピースを挿入、直結固着するＭＳＰ連結方式（２）の例である。ＭＳＰ連結方式（１）との相違点は、柱チリ面に装着するアンカーポットの型式選択の相違と、異なる型式のコネクターポットのを選択で，異なる型式の装具を選択した場合でも、ＭＳＰ連結方式（１）と同様の効果が得られる装具の選択組み合わせ方式を変化させた事例である。
ウ  図３５・図３６は、柱チリ面部へ、図１１・符号ＩＰＬのアンカーポットを装着し、左・右の家具頂部に、同一型式の図２・符号ＬＴのコネクターポットを、家屋のアンカー面に対して三個のポット側面部を平行に、ピット部を上面として、相互のポット平面部が密着した並列三連形のポットへ、図２７・符号ＭＵコネクターピースを挿入し直結固着が出来るＭＵ直結固着方式の例である。（アンカーポットに図１０・符号ＳＰＩ型ポットを装着しても効果は同じである）
エ  図３７・図３８は、柱チリ面へ、図１６・符号ＳＰＬのアンカーポットを装着し、図３・符号ＩＩのコネクターポット小口部を、符号ＳＰＬのアンカーポット小口部に、連結密着させ、三個のポットが連結された平型ポットの側面が、家屋のアンカー面と平行に、家具頂部へ装着された直列三連直管状ポットへ、図３０・符号ＪＳＰのコネクターピースを挿入し、直結固着する箏が出来るＪＳＰ直結固着方式の例である。
オ  図３９は、向かって左側の家具頂面に図８・符号ＬＵＲ型のコネクターポットを、右側の家具頂面に図７・符号ＬＵＬのコネクターポットを、図３・符号ＩＩのアンカーポットを柱見付面に、それぞれ装着し、三連のポット平面部を家屋のアンカー面と平行に、ピット部を上面にして直列に装着し、図２９・符号ＭＳＰのコネクターピース挿入で直結固着する、ＭＳＰ直結固着方式の例である
カ  図４０は、左右の家具とも図３・符号ＩＩのコネクターポットを家具の頂部へ、アンカーポットには、図４・符号ＬＸのポットをピット部が柱面と平行になるように柱見付面に装着、コネクターポットの小口部をアンカーポットの小口部と密着させた直列三連直管状のポットへ、図３０・符号ＪＳＰのコネクターピースを挿入する事により直結固着ができるＪＳＰ直結固着方式の例である。
キ  図４１・図４２は、図２符号ＬＴのコネクターポットを左右の家具頂部へ、柱見付面へ図９・符号ＰＩＳのアンカーポットをポット側面が柱見付面と平行となるように装着し、左右のコネクターポット平面部がアンカーポットの平面部を挟み付ける形状で密着させ、並列三連に装着されたポットへ図２７・符号ＭＵのコネクターピースを挿入する事により直結固着が出来るＭＵ直結固着方式の例である。
ク  図４３・図４４は、上部に長押が装着された寄席鴨居の下部チリ面部に図２１・符号ＵＺＲのアンカーポットを装着し、左右の家具頂部に図２・符号ＬＴのコネクターポットをアンカーポットの平面部を挟み付ける形状で装着し、並列三連に装着されたポットへ、図２５・符号ＭＵのコネクターピースを挿入し直結固着するＭＵ直結固着方式の例である。
ケ  図４３・図４５は、寄席鴨居の上部チリ面に図１９・符号ＺＡＩのアンカーポットを装着し家具頂部に、図７・符号ＬＵＬ・図８・符号ＬＵＲのコネクターポットを、相互の側面を密着させ直列三連に装着されたポットのピット部へ、図２９・符号ＭＳＰのコネクターピースを挿入し、直結固着する事が出来るＭＳＰ固着方式の例である。
コ  図４６・図４７は、家具の高さに高低の段差がある場合で、高さの低い家具の
頂部に合致させて図１５・符号ＰＸＬのアンカーポットを柱チリ面に装着し、高さが高い家具側に図９・符号ＰＩＳのコネクターポットを、低い家具の頂部には図２・符号ＬＴのコネクターポットを相互のポット平面部を密着させて高い家具側面に対しポット側面を平行に三連並列となるように装着し、図２７・符号ＭＵのコネクターピースを挿入する事により段差のある家具が直結固定できるＭＵ型コネクターピース直結固定方式の例である。
サ  図４８・図４９は、頂部に高低の段差がある家具の場合で、高さが低い側の家具頂部に合致させで図１１・符号ＩＰＬのコネクターポットを柱チリ面に装着し、高い側の家具側面に図３・符号ＩＩのコネクターポットを、低い側の家具頂部に図２・符号ＬＴのコネクターポットを、相互のポット側面を密着させ構成した直列三連のポットへ、図２９・符号ＭＳＰのコネクターピースを挿入する事により直結固着ができるＭＳＰ直結固定方式の例である。（アンカーポットに図１０・符号ＳＰＩを装着しても効果は同じである）
シ  図５０・図５１は、頂部に高低の段差がある家具の場合で、高さが低い側の家具
頂部に合致させ、図１７・符号ＰＳＬのアンカーポットを柱のチリ面に装着し、低い家具側の頂部に図３・符号ＩＩのコネクターポットを、高い側の側面に図５ＬＸＬ、又は、図６・符号ＬＸＲのコネクターポットを、相互のポット平面を密着させ、並列三連に装着されたポットのピット部へ、図２６・符号ＭＦのコネクターピースを挿入する事で直結固着が出来るＭＦ固着方式の例である。
ス  図５２・図５3は、頂部に高低の段差がある家具の場合で、高さが低い側の家具
頂部に合致させて図１８・符号ＰＳＲのアンカーポットを柱チリ面に装着し、背の高い側の家具側面に図４・符号ＬＸのコネクターポットを、低い側の家具頂面に図３・符号ＩＩのコネクターポットを、相互のポット小口部を密着させ、平形三連直管状ポットを背の低い側の家具頂部に装着し、図３０・符号ＪＳＰのコネクターピースの挿入で直結固着ができるＪＳＰ固着方式の例である。
セ  図５４・図５５は、上下に分割できる積層家具を図１７・符号ＰＳＬのアンカーポットを、積層分割面に合致させて柱チリ面に装着し、図１３・符号ＰＸＬのコネクターポットがＰＬＳ型アンカーポットを挟み込むように、上部家具面と下部家具面に、相互のポット平面部を密着させ並列三連ポットに積層し、図２７・符号ＭＵのコネクターピースを挿入する事により積層家具の直結固着が出来、且つ、上層部の家具頂部をＵＰ型コネクターピースで直結固着するＭＵ・ＵＰ併用固着方式の例である。
ソ  図５６は、家具頂部が整一で、家屋アンカー部に対し二台の家具がＬ形設置され
ている場合、一方の家具頂部に図２・符号ＬＴのコネクターポットを、もう一方の家具頂部に図７・符号ＬＵＬのコネクターポットを、柱見付面に図６・符号ＬＸＲ、又は、図９・符号ＰＩSのアンカーポットを装着し、相互のポット平面部を密着構成した並列三連ポットに図２７・符号ＭＵのコネクターピースを挿入し直結固着するＬ形配置家具ＭＵ型コネクターピース直結固着方式の例である。
なお、アンカーポットにはＩＩ型・ＬＸ型・ＬＸＬ型・ＬＸＲ型・ＰＩＳ型・ＩＰＬ型・ＩＰＲ型・ＰＸＬ型・ＰＸＲ型のいずれかを選択する事ができ、コネクターポットも前記アンカーポットの、ＩＩ型〜ＰＸＲ型に適合する型式のポットであれば，任意に組合せて装着することが可能で、固着方式も，ＭＵ連結方式・ＭＳＰ連結方式の他に，ＪＳＰ連結方式も選択する事が可能である。
タ  図５７は、家具頂部が整一で、家屋アンカー部に対し二台の家具がＬ形設置され
ている場合、一方の家具頂部に図２・符号ＬＴのコネクターポットを、もう一方の家具頂部に、図８・符号ＬＵＲのコネクターポットを、柱の見付面に図３・符号ＩＩのアンカーポットを装着し、相互のポット側面部を密着させ直列三連のポットに図２９・符号ＭＳＰのコネクターピースを挿入し、直結固定するＬ形配置家具ＭＳＰ直結固定方式の例である。
なお、前記ソ号なお書き以降の記述は,、当タ号にも適用する。
【符号の説明】
【００１０】
１  柱見付面
２  柱チリ面
３  真壁
４  長押
５  寄席鴨居
６  家具
６−Ｌ  向かって左側に設置された家具
６−Ｒ  向かって右側に設置された家具
６−Ｌ−Ｂ  向かって左側に設置された家具の背面
６−Ｌ−Ｓ  向かって左側に設置された家具の側面
６−Ｒ−Ｂ  向かって右側に設置された家具の背面
６−Ｒ―Ｓ  向かって右側に設置された家具の側面
６−Ｌ−Ｔ  向かって左側に設置された家具の頂部
６−Ｒ−Ｔ  向かって右側に設置された家具の頂部
６−Ｈ      高さが高い家具
６−ＨＬ    高さが低い家具
６−Ｕ      積層家具の上段
６−Ｄ      積層家具の下段
６−ＸＬ    Ｌ形に配置された家具の向かって左側の家具
６−ＸＲ    Ｌ形に配置された６−ＸＬ家具の正面に向かい側面を呈している家具
ア          ポット本体の平面部
イ          ポット本体を固定するプレート部（固着ピットを含む）
ウ          ポット本体の側面部
エ          ポット本体のピット部
オ          ピット部に挿入されるブレード
カ          ブレードを連結固着するキャップ
キ          ブレードを固着するキャップのフイン
【要約】      （修正有）【課題】家屋が真壁構造の場合、家具転倒を防止するアンカー装具の装着可能部位が限定される。柱チリ面や鴨居チリ面にアンカー装具の装着を可能とし、家屋内の全域をアンカー装具装着可能部位とする家具転倒防止装具を提供する。【解決手段】この装具は柱や、寄席鴨居のチリ面にも装着可能なアンカー装具の型式の選択と、装着部位を任意に確定する事ができ、家具部も同様に装具の型式と装着部位を任意に選択でき、アンカー部、家具部のそれぞれに、別個に装着されたポットへ、コネクターピースを挿入固着する方式のため、装具取扱いの簡易性と、前記の両ポットへコネクターピースを挿入すれば固定、引き抜けば固定が解除されるワンタッチ着脱機能を保有する利便性を備えている。【選択図】図３４【図１】
0005875019.tif 000002
【図２】
0005875019.tif 000003
【図３】
0005875019.tif 000004
【図４】
0005875019.tif 000005
【図５】
0005875019.tif 000006
【図６】
0005875019.tif 000007
【図７】
0005875019.tif 000008
【図８】
0005875019.tif 000009
【図９】
0005875019.tif 000010
【図１０】
0005875019.tif 000011
【図１１】
0005875019.tif 000012
【図１２】
0005875019.tif 000013
【図１３】
0005875019.tif 000014
【図１４】
0005875019.tif 000015
【図１５】
0005875019.tif 000016
【図１６】
0005875019.tif 000017
【図１７】
0005875019.tif 000018
【図１８】
0005875019.tif 000019
【図１９】
0005875019.tif 000020
【図２０】
0005875019.tif 000021
【図２１】
0005875019.tif 000022
【図２２】
0005875019.tif 000023
【図２３】
0005875019.tif 000024
【図２４】
0005875019.tif 000025
【図２５】
0005875019.tif 000026
【図２６】
0005875019.tif 000027
【図２７】
0005875019.tif 000028
【図２８】
0005875019.tif 000029
【図２９】
0005875019.tif 000030
【図３０】
0005875019.tif 000031
【図３１】
0005875019.tif 000032
【図３２】
0005875019.tif 000033
【図３３】
0005875019.tif 000034
【図３４】
0005875019.tif 000035
【図３５】
0005875019.tif 000036
【図３６】
0005875019.tif 000037
【図３７】
0005875019.tif 000038
【図３８】
0005875019.tif 000039
【図３９】
0005875019.tif 000040
【図４０】
0005875019.tif 000041
【図４１】
0005875019.tif 000042
【図４２】
0005875019.tif 000043
【図４３】
0005875019.tif 000044
【図４４】
0005875019.tif 000045
【図４５】
0005875019.tif 000046
【図４６】
0005875019.tif 000047
【図４７】
0005875019.tif 000048
【図４８】
0005875019.tif 000049
【図４９】
0005875019.tif 000050
【図５０】
0005875019.tif 000051
【図５１】
0005875019.tif 000052
【図５２】
0005875019.tif 000053
【図５３】
0005875019.tif 000054
【図５４】
0005875019.tif 000055
【図５５】
0005875019.tif 000056
【図５６】
0005875019.tif 000057
【図５７】
0005875019.tif 000058